(57)【要約】【課題】「かけつぎ」又は「かけはぎ」に匹敵する美しい仕上がりと、補修効果の持続性を備え、しかも、簡略化された作業により短時間で局部的な破断部を補修可能とする補修方法を提供すること。【解決手段】布地（１）に形成された破断部（２）の端面（３，４）間に布地（１）の内部で糸（７）を交互に掛け渡すことによって、破断部（２）の端面（３，４）同士を突き合わせた状態で破断部（２）を縫合し、しかも、縫合する糸（７）の始端部及び終端部を布地（１）の内部に引っ張り込むことによって、糸（７）の始端及び終端に形成された玉止め（８，９）を布地（１）の内部に収容するようにして補修することとした。【選択図】    図２
2004218115.tif 000002
【特許請求の範囲】
【請求項１】
布地に形成された破断部の端面間に布地の内部で糸を交互に掛け渡すことによって、破断部の端面同士を突き合わせた状態で破断部を縫合することを特徴とする布地に形成された破断部の補修方法。
【請求項２】
縫合する糸の始端部及び終端部を布地の内部に引っ張り込むことによって、糸の始端及び終端に形成された玉止めを布地の内部に収容することを特徴とする請求項１記載の布地に形成された破断部の補修方法。
【請求項３】
破断部近傍の布地の内部に複数条の糸を各条の糸の張力をそれぞれ調節しながら貫通させることによって、破断部近傍の布地を平坦化することを特徴とする請求項１又は請求項２記載の布地に形成された破断部の補修方法。
【請求項４】
破断部の裏面に補強布を接着することを特徴とする請求項１から請求項３のいずれか１項に記載の布地に形成された破断部の補修方法。
【発明の詳細な説明】
【０００１】
【発明の属する技術分野】
本発明は、切欠き、焼穴等の局部的な破断部を有する布地の補修方法に関するものである。
【０００２】
【従来の技術】
従来、衣服等に生じた切欠き、焼穴等の局部的な破断部を補修する場合には、同破断部を単に縫い塞ぐ補修方法がとられている。この補修方法は、破断部を頂点として裏表に山折りにし、重なり合った布地の破断部の周端部近傍を、破断部の周端部に沿って縫合することによって布地の表面に露出された糸で破断部を縫い塞いだり、または、破断部の端面を突き合わせ、同端面の両側に布地の表裏で糸を掛け渡すように縫合して破断部を縫い塞ぐようにしている。
【０００３】
一方、破断部に共布（破断部を有する布と同じ布）を補う補修方法として、「かけつぎ」又は「かけはぎ」が用いられている。この補修方法は、破断部の布地の目、柄、あるいは大きさを合わせた共布を準備し、破断部の布地と共布の布地の目、あるいは柄を合わせながら、破断部周辺の布地の横糸、若しくは縦糸と、共布の横糸、若しくは縦糸とを、針先で織り込むように連結して布地と共布とを一枚の布のように補綴して一体化するようにしている。
【０００４】
【発明が解決しようとする課題】
ところが、上述したように破断部を単に縫い塞ぐ補修方法では、縫合のための糸が布地の表面に露出するために見栄えを悪くするという欠点があった。
【０００５】
さらに、表面に露出した糸が磨耗して綻びの原因となり補修効果の持続性を悪くする欠点もあった。
【０００６】
また、破断部を単に縫い塞ぐ方法では、補修に伴って窪みや歪みを生じてしまい補修の痕跡を残すことは避けられず、縫合のための糸が布地の表面に露出することに加えて一層見栄えを悪くするという欠点があった。
【０００７】
一方、「かけつぎ」又は「かけはぎ」は、補修の痕跡を残すことなく美しく仕上げることはできるものの、そのために、破断部の布地と共布の布地の目、あるいは柄を合わせながら、破断部を有する布地に共布を織り込んでいく作業は、高度の熟練と多大な労力、そして、多くの時間を必要とし、高価なものとなってしまうという欠点があった。
【０００８】
このような現状に鑑み、本発明者は「かけつぎ」又は「かけはぎ」に匹敵する美しい仕上がりと、補修効果の持続性を備え、しかも、簡略化された作業により短時間で局部的な破断部を補修可能とする補修方法を実現すべく研究開発を行い、本発明に至ったものである。
【０００９】
【課題を解決するための手段】
すなわち、請求項１に係る本発明では、布地に形成された破断部の端面間に布地の内部で糸を交互に掛け渡すことによって、破断部の端面同士を突き合わせた状態で破断部を縫合することとした。
【００１０】
また、請求項２に係る本発明では、前記請求項１において、縫合する糸の始端部及び終端部を布地の内部に引っ張り込むことによって、糸の始端及び終端に形成された玉止めを布地の内部に収容することとした。
【００１１】
また、請求項３に係る本発明では、前記請求項１又は請求項２において、破断部近傍の布地の内部に複数条の糸を各条の糸の張力をそれぞれ調節しながら貫通させることによって、破断部近傍の布地を平坦化することとした。
【００１２】
また、請求項４に係る本発明では、前記請求項１から請求項３のいずれかにおいて、破断部の裏面に補強布を接着することとした。
【００１３】
【発明の実施の形態】
衣服を着用している際に思わず衣服を引っ掛けたり、たばこによって焼穴を作ったり、また、衣服等を収納している間に虫喰いになったり等して、布地等に局部的な破断部を生じる場合がある。本発明は、かかる破断部を補修する方法に関するものである。
【００１４】
本発明では、破断部を補修するにあたり、布地に形成された破断部の端面間において、布地の内部で糸を交互に掛け渡すことによって、破断部の端面同士を突き合わせた状態で破断部を縫合することにしている。
【００１５】
しかも、この時、縫合する糸の始端部、及び終端部を布地の内部に引っ張り込むことによって、糸の始端、及び終端に形成した玉止めも布地内部に収容するようにしている。
【００１６】
このように、縫合の糸が布地の内部にて掛け渡されるとともに、玉止めも布地内部に収容されるので、布地の表裏面において縫合の痕跡が残ることを完全に防止して美しく仕上げることができる。しかも、縫い目と玉止めを磨耗から保護して補修効果を長く持続することができる。
【００１７】
しかも、補修に共布を必要とせず、共布を保管しておいたり、縫い代を切り取って共布を準備したり等の手間をかけることなく手軽に、しかも容易に破断部の補修を行うことができる。
【００１８】
ここで、上記破断部が虫食いや燒穴等のように欠損部を有する場合には、破断部の端面を強制的に付き合わせたことによって破断部の両端に歪みが発生してしまうことがある。
【００１９】
そこで、歪んだ部分の布地内部において、布地の縦方向、横方向、及び様々な斜め方向に沿って新たな糸を適度な張りを持たせて挿入し、歪んだ部分における布地の密度を変化させるとともに、張りを加えることによって布地の歪みを吸収して歪んだ部分を平らに補正する。これにより、補修の痕跡を残すことを防止して美しい仕上がりとすることができる。
【００２０】
このようにして、破断部の縫合にかかる処理が終了すると、次に、破断部周辺の裏側に補強布を宛がう。同補強布には接着糊が塗付されており、アイロンを用いて加熱することにより容易に補強布を布地に接着することができるようになっている。
【００２１】
アイロンを用いて加熱し補強布と布地を接着する際、補強布と布地の間に両面接着シートを介在させておけば、より強固に接着することができる。
【００２２】
このように、破断部の周辺の布地の裏面に補強布を宛がうことにより、破断部における補修を保護することができるとともに、破断部周辺の布地を補強することができ、補修効果を長く持続させることができる。
【００２３】
さらに、補強布の周縁部を縫い目が表面に露出しないように布地にかがり付けて、クリーニングや洗濯にも耐えて補強布が布地から剥離しないようにする。これにより、補修の仕上がりをいつまでも美しく保持することができるとともに、補修効果を長く持続させることができる。
【００２４】
このように、本発明に係る局部的な破断部を有する布地の補修方法では、従来技術である「かけはぎ」又は「かけはぎ」よりも簡略化した作業により短時間で補修可能としながらも、仕上がりは補修の痕跡を残さず「かけつぎ」又は「かけはぎ」と同等に美しく、しかも耐久性に優れており補修効果を長く持続させることができる。
【００２５】
したがって、衣服等に生じた破断部の補修を、「かけつぎ料」又は「かけはぎ料」よりも安い料金で提供することができる。
【００２６】
なお、破断部を縫合する際には、接着効果を有する糸を用いて縫合することもできる。この場合、縫合後にアイロンを用いて加熱することによって、破断部を糸と接着剤により強固に連結することができ、破断部を容易に補修することができる。また、補強布が布地の風合いを損なう場合等、補強布を宛がうことが困難である場合にも有効である。
【００２７】
【実施例】
以下において、図面に基づいて本発明の具体的な実施例について詳説する。
【００２８】
（縫合）
布地に形成された破断部の一例として、図１に、布地１の縦方向に沿って平面視略紡錘形に形成された破断部２を示す。図１において、同破断部２の左側に位置する端面を左端面３、同破断部２の右側に位置する端面を右端面４とする。
【００２９】
布地１に形成された破断部２を補修するにあたっては、まず、同破断部２の形状、大きさ、及び破断部２が形成されている方向、また、同破断部２周辺における布地１の目、及び柄を考慮して、同破断部２の端面同士を付き合わせた状態にて縫合する方向を決定する。
【００３０】
今、破断部２は、布地１の縦方向に沿って平面視略紡錘形に形成されているので、左右端面３，４間で交互に糸を掛け渡しながら、同左右端面３，４を突き合わせるように破断部２の破断方向に沿って左右端面３，４の上端部５から左右端面３，４の下端部６へ向けて縫合することとする。
【００３１】
次に、縫合に使用する糸を準備する。通常、縫合に使用される糸は、複数（通常３本）のさらに細い糸を撚って形成されている。そこで、この撚りを解いて１本のさらに細い糸に分解し、同細い糸を破断部２の縫合に使用する縫合糸７とする。
【００３２】
次に、同縫合糸７を針に通し、一本どりとして始端玉止め８を形成する。
【００３３】
このようにして縫合のための準備が終了すると、次に、破断部２を縫い塞ぐべく縫合するわけであるが、同縫合の工程について図２を参照しながら説明する。
【００３４】
まず、図２（ａ）に示すように、針先を左右端面３，４の上端部５近傍の布地１内部へと刺し込み、布地１内部に刺し込んだ針先をそのまま布地１内部にて進ませながら、左右端面３，４の上端部５左側の厚さ方向における略中央部である１回目の抜き出し点Ｔ１から抜き出す。
【００３５】
次に、図２（ｂ）に示すように、縫合糸７を引いて、同縫合糸７の始端部を布地１の内部に引っ張り込むことによって、上記始端玉止め８を布地１内部に収容するとともに、同始端玉止め８を布地１の繊維に掛止させる。さらに、縫合糸７の始端部から１回目の抜き出し点Ｔ１にかけて布地１の内部に収容した縫合糸７の張力を調節する。
【００３６】
次に、図２（ｃ）に示すように、再び針先を破断部２右側の布地１へ向けて、破断部２の左右端面３，４を付き合わせた際に１回目の抜き出し点Ｔ１と当接する右端面４の略中央部である１回目の刺し込み点ｔ１に刺し込む。
【００３７】
次に、図２（ｄ）に示すように、針先をそのまま破断部２の破断方向と直交する方向からやや下向き方向に、布地１内部を所定距離進ませて破断部２右側の布地１の表面から抜き出して１回目の折り返し点Ｒ１とする。
【００３８】
次に、図２（ｅ）に示すように、縫合糸７を引くことによって左端面３と右端面４とを付き合わせる。しかも、縫合糸７を引くことによって１回目の抜き出し点Ｔ１から１回目の折り返し点Ｒ１にかけて布地１内部に収容した縫合糸７の張力を調節して、左右端面３，４を付き合わせたことに起因して歪みが生じないようにする。
【００３９】
次に、図２（ｆ）に示すように、針先を破断部２左側の布地１へ向けて上記１回目の折り返し点Ｒ１に刺し込む。
【００４０】
次に、図２（ｇ）に示すように、破断部２の破断方向と直交する方向からやや下向き方向に、布地１の内部を進ませて右端面４の厚さ方向における略中央部である２回目の抜き出し点Ｔ２から抜き出す。ここでも、縫合糸７を引くことによって、１回目の折り返し点Ｒ１から２回目の抜き出し点Ｔ２にかけて布地１内部に収容した縫合糸７の張力を調節して、左右端面３，４を付き合わせたことに起因して歪みが生じないようにする。
【００４１】
次に、図２（ｈ）に示すように、再び針先を破断部２左側の布地１へ向けて、破断部２の左右端面３，４を付き合わせた際に２回目の抜き出し点Ｔ２と当接する左端面３の略中央部である２回目の刺し込み点ｔ２に刺し込む。
【００４２】
次に、図２（ｉ）に示すように、破断部２の破断方向と直交する方向からやや下向き方向に、布地１内部を所定距離進ませて破断部２左側の布地１の表面から抜き出して２回目の折り返し点Ｒ２とする。
【００４３】
次に、図２（ｊ）に示すように、縫合糸７を引くことによって、左端面３と右端面４とを付き合わせる。ここでも、縫合糸７を引くことによって、２回目の抜き出し点Ｔ２から２回目の折り返し点Ｒ２にかけて布地１内部に収容した縫合糸７の張力を調節して、左右端面３，４を付き合わせたことに起因して歪みが生じないようにする。
【００４４】
次に、図２（ｋ）に示すように、針先を破断部２右側の布地１へ向けて上記２回目の折り返し点Ｒ２に刺し込み、破断部２の破断方向と直交する方向からやや下向き方向に、布地１の内部を進ませて左端面３の厚さ方向における略中央部である３回目の抜き出し点Ｔ３から抜き出す。そして、縫合糸７を引くことによって、２回目の折り返し点Ｒ２から３回目の抜き出し点Ｔ３にかけて布地１内部に収容した縫合糸７の張力を調節して、左右端面３，４を付き合わせたことに起因して歪みが生じないようにする。
【００４５】
このように、１回目，２回目・・・・（ｎ−１）回目の折り返し点Ｒ１，Ｒ２・・・・Ｒ（ｎ−１）にて縫合を折り返し、破断部２の左右端面３，４間に布地１の内部で糸を交互に掛け渡すことによって、図３に示すように、破断部２の左右端面３，４を突き合わせた状態で縫合する。ここで、針は（ｎ−１）回目の折り返し点Ｒ（ｎ−１）で折り返し、破断部２の下端部６を通過して破断部２左側の布地１の表面から抜き出し、ｎ回目の折り返し点Ｒｎとする。
【００４６】
このようにして、一旦破断部２の上端部５から下端部６にかけて縫合が終了すると、次に、図４に示すように、針先を破断部２に向けて折り返し点Ｒｎに刺し込み、破断部２の破断方向と直交する方向に向けて布地１の内部を所定距離進ませ、破断部２右側の布地１の表面に抜き出し、復路１回目の折り返し点Ｒ１’とする。
【００４７】
次に、縫合糸７を引くことによって、ｎ回目の折り返し点Ｒｎから復路１回目の折り返し点Ｒ１’にかけて布地１の内部に収容した縫合糸７の張力を調節して、左右端面３，４を付き合わせたことに起因して歪みが生じないようにする。
【００４８】
次に、針先を破断部２左側に向けて折り返し点Ｒ１’に刺し込み、破断部２の破断方向と直交する方向から鋭角に上端部５へ向けた方向へ布地１の内部を所定距離進ませて、左右端面３，４を通過し、破断部２より所定間隔離間して布地１の表面に抜き出し、折り返し点Ｒ２’とする。
【００４９】
このように、復路１回目，２回目・・・・ｎ回目の折り返し点Ｒ１’，Ｒ２’・・・・Ｒｎ’を往路１回目，２回目・・・・ｎ回目の折り返し点Ｒ１，Ｒ２・・・・Ｒｎとずらした位置に設けて縫合を折り返し、すでに付き合わされた破断部２の左右端面３，４間にさらに布地１の内部で糸を交互に掛け渡して縫合することにより、左右端面３，４を強く連結するとともに、布地１の内部に張力を調節した縫合糸７を多く収容することによって、左右端面３，４を付き合わせたことに起因して生じた歪みをより吸収して可及的に歪みを補正して布地１を平坦化することができる。
【００５０】
このように、左右端面３，４の上下端部５，６間を繰り返し縫合することによって左右端面３，４間における連結の強度を上げることができるとともに、布地１を平らに補正することができる。なお、縫合を繰り返す回数は、布地１の種類や目の状態、破断部２の形状や大きさ等によって決定する。本実施例においては１往復とした。
【００５１】
このようにして、破断部２の縫合が終了すると、図５（ａ）に示すように、復路ｎ回目の折り返し点Ｒｎ’から針を抜き出した状態となっている。
【００５２】
次に、図５（ｂ）に示すように、復路ｎ回目の折り返し点Ｒｎ’において縫合糸７に終端玉止め９を形成する。
【００５３】
次に、図５（ｃ）に示すように、針先を復路ｎ回目の折り返し点Ｒｎ’に刺し込む。
【００５４】
次に、図５（ｄ）に示すように、針先を適当な方向へそのまま布地１の内部を所定距離進ませて布地１の表面に抜き出す。
【００５５】
次に、図５（ｅ）に示すように、縫合糸７を引いて終端玉止め９を布地１の内部に引っ張り込むことによって、同終端玉止め９を布地１の内部に収容するとともに、同終端玉止め８を布地１の繊維に掛止させる。
【００５６】
次に、図５（ｆ）に示すように、縫合糸７を引っ張って、縫合糸７に布地１の張り具合よりも強い張りをかけた状態にて縫合糸７を切断する。そして、布地１を引っ張ることによって縫合糸７の終端部を布地１の内部に収容する。
【００５７】
このように、本発明では破断部２を縫合糸７により縫い塞ぐことによって補修するわけであるが、縫合糸７は布地１内部にて掛け渡されるので、縫い目は全て布地１内部に収容されることになり見栄えを向上することができる。さらに、縫合糸７が磨耗により劣化することを防止して、補修効果を長く持続させることができる。
【００５８】
しかも、縫合糸７に形成した始終端玉止め８，９を布地１内部に収容することができるため、縫合の痕跡を残すことを防止して見栄えをさらに向上することができる。さらに、磨耗により始終端玉止め８，９が解けたり、損傷したり等することを防止して補修効果を長く持続させることができる。
【００５９】
上述したようにして、本発明では破断部２を縫合の痕跡を残さないように縫い塞ぐことができる。
ここで、破断部２が比較的大きな欠損部を有する場合には、破断部２の左右端面３，４を強制的に突き合わせて縫合したことに起因して、左右端面３，４の上下端部５，６近傍に窪み１０が発生することがある。
【００６０】
そこで、同窪み１０を補正して布地１を平坦に補正する必要がある。かかる窪み１０の補正について、図６を参照しながら以下に説明する。
（窪みの補正）
まず、窪み１０の補正に使用する糸を準備する。前述した縫合糸７と同様に、通常の糸を１本の細い糸に分解し、同細い糸を窪み１０の補正に使用する補正糸７’とする。
【００６１】
補正糸７’を針に通し、１本どりとして同補正糸７’の終端部に始端玉止め８’を形成し、破断部２の上端部５右側の近傍における布地１の内部に針先を窪み１０へ向けて刺し込む。
【００６２】
次に、針先をそのまま布地１の内部にて破断部２の破断方向と直交する方向へ進ませて、対向する窪み１０の周縁部に針を出し、１回目の折り返し始点Ｓ１とする。
【００６３】
次に、破断部２を縫合する場合と同様に、補正糸７’を引いて、同補正糸７’の始端部を布地１の内部に引っ張り込むことによって、上記始端玉止め８’を布地１の内部に収容するとともに、同始端玉止め８’を布地１の繊維に掛止させる。さらに、補正糸７’を引くことによって布地１の内部に収容した補正糸７’の張力を調節して布地１を平坦化させる。
【００６４】
このように、始端玉止め８’を布地１の内部に収容することにより、見栄えを良くすることができるとともに、始端玉止め８’が磨耗により解けたり、劣化したりすることを防止して補正効果を長く持続させることができる。
【００６５】
次に、針先を窪み１０の中央へ向けて１回目の折り返し始点Ｓ１における布地１の内部に刺し込み、そのまま布地１の内部を所定間隔進ませて布地１の表面に抜き出し、１回目の折り返し終点Ｆ１とする。
【００６６】
次に、破断部２を縫合する場合と同様に、補正糸７’を引くことによって布地１の内部に収容した補正糸７’の張力を調節して布地１を平坦化させる。
【００６７】
次に、針先を窪み１０右側に向けて１回目の折り返し終点Ｆ１における布地１の内部に刺し込み、そのまま布地１の内部を破断方向と直交する方向に進ませて、対向する窪み１０の周縁部に針を出し、２回目の折り返し始点Ｓ２とする。
【００６８】
次に、１回目の折り返し始点Ｓ１に針を抜き出した時と同様に、補正糸７’を引くことによって布地１の内部に収容した補正糸７’の張力を調節して布地１を平坦化させる。
【００６９】
次に、針先を窪み１０の中央へ向けて２回目の折り返し始点Ｓ２における布地１の内部に刺し込み、そのまま布地１の内部を所定間隔進ませて布地１の表面に抜き出し、２回目の折り返し終点Ｆ２とする。この時、２回目の折り返し始点Ｓ２と２回目の折り返し終点Ｆ２間の距離を、１回目の折り返し始点Ｓ１と１回目の折り返し終点Ｆ１間の距離よりも若干長くとるようにする。
【００７０】
次に、１回目の折り返し終点Ｆ１に針を抜き出した時と同様に、補正糸７’を引くことによって布地１の内部に収容した補正糸７’の張力を調節して布地１を平坦化させる。
【００７１】
このように、窪み１０部において、布地１の目の密度や厚さ、また、窪み１０の大きさや形状等の条件を加味して、破断方向と直行する方向に往復しながら、補正糸７’に適度な張りを与えて布地１の内部に挿入することによって、布地１の密度を変化させるとともに布地１に張りを与えて窪み１０を可及的に補正する。
【００７２】
ここで、折り返す際に、２回目の折り返し始点Ｓ２と２回目の折り返し終点Ｆ２間の距離を、１回目の折り返し始点Ｓ１と１回目の折り返し終点Ｆ１間の距離よりも若干長くとったように、折り返し回数が増えるごとに折り返し始点Ｓと折り返し終点Ｆ間の距離を長くとるようにして、挿入する補正糸７’の密度を上端部５近傍から遠のくにつれて低くなるように補正糸７’を挿入すると、窪み１０部分の布地１を可及的に平坦化することができる。
【００７３】
このようにして、窪み１０部において破断方向と直交する方向についての補正が終了すると、次に、窪み１０部において破断方向についての補正を行う。この場合、上記した窪み１０部において破断方向と直交する方向についての補正と同様の処理を行う。ただし、挿入される補正糸７’の挿入密度は一定とした。
【００７４】
このようにして、窪み１０部に補正糸７’を挿入することができたら、次に、挿入した補正糸７’を窪み１０の周縁部を通過した近傍に針を抜き出し、補正糸７’に終端玉止め９’を形成する。
【００７５】
次に、破断部２の縫合において終端玉止め９を処理した場合と同様にして、補正糸７’に形成した終端玉止め９’を布地１の内部に収容する。
【００７６】
このように、補正糸７’は、上述した破断部２の縫合の場合と同様に、始終端玉止め８’，９’を布地１の内部に収容するとともに、補正糸７’は布地１内において収容され縫い目が表面に現れることはない。したがって、見栄えを向上させることができるとともに、始終端玉止め８’，９’が解けたり、補正糸７’が磨耗することを防止して補正効果を長く持続させることができる。
【００７７】
しかも、補正の痕跡を残すことを防止して補正を美しく仕上げることができる。
【００７８】
次に、破断部２の下端部６に形成された窪み１０を、破断部２の上端部５に形成された窪み１０を補正した方法と同様にして補正する。
【００７９】
（補強）
次に、破断部２を補強する方法について図７，図８に基づいて説明する。
【００８０】
破断部２周辺の布地１の裏側に補強布１１を接着することによって破断部２を補強する。
【００８１】
ここで、同補強布１１の裏面には接着糊１２が塗付されており、同接着糊１２は加熱することによって溶融し、補強布１１と布地１とを容易に接着することができるようになっている。したがって、補強布１１を、アイロンを用いて加熱することにより、同補強布１１を容易に破断部２周辺の布地１に接着することができる。
【００８２】
しかも、補強布１１と布地１とを接着する際に、補強布１１と布地１との間に両面接着シート１３を介在させてから加熱すると、補強布１１の接着糊１２と両面接着シート１３とで補強布１１と布地１との接着することができるので、接着力をさらに強力とすることができる。
【００８３】
このように、破断部２周辺の布地１の裏面を補強布１１で接着仕上げすることにより、破断部２周辺の布地１を補強することができるとともに、破断部２に力が加わって破断部２を縫合している縫合糸７を切断してしまうことを防止するように補修を保護して補修効果を長く持続させることができる。
【００８４】
次に、補強布１１の周縁部をかがり糸１４でかがるように、しかも、この時の縫い目が布地１の表面に露出しないように布地１に縫い付ける。本実施例では千鳥ぐけを施しているが、補強布１１の周縁部をかがり糸１４でかがるように布地１に縫い付けることができれば、どのような方法であっても構わない。
【００８５】
これにより、クリーニングや洗濯にも耐えて補強布１１が布地１から剥がれることを防止して、見栄えを向上させるとともに、補修効果を持続させることができる。
【００８６】
以上に説明したように、本発明に係る局部的な破断部２を有する布地１の補修方法では、縫い目も始終端玉止め８、９も布地１の内部に収容しているため、補修の痕跡を残すことなく、「かけつぎ」又は「かけはぎ」に匹敵する美しい仕上がりとすることができる。
【００８７】
しかも、補修にかかる作業は「かけつぎ」又は「かけはぎ」に比べて簡略化された容易な作業であり、短時間で補修可能とすることができる。
【００８８】
したがって、衣服等に生じた破断部２の補修を、「かけつぎ料」又は「かけはぎ料」よりも安い料金で提供することができる。
【００８９】
さらに、破断部２の補修に共布を必要としないので、共布を保管しておいたり、縫い代を切り取って共布を準備したり等の手間をかけることなく手軽に、しかも容易に破断部２の補修を行うことができる。
【００９０】
以上、布地１の縦方向に沿って平面視略紡錘形に形成された破断部２の補修方法について説明してきたが、破断部の大きさ・形状・方向等、また、布地の種類、目の密度や状態、厚さ、柄等によって、縫合糸の掛け渡し方・折り返し方法・窪みの補正のための縫合糸の挿入方法等について様々な方法があり、本実施例に限られるものではない。
【００９１】
例えば、縫合の際の折り返し方法については、針を一旦抜き出した位置と同じ位置に戻して折り返すのではなく、針を抜き出した位置と再び刺し込む位置とを若干ずらして折り返すことによって、折り返しのポイントを布地の繊維にしっかりと掛止させて、折り返しのポイントが布地にしっかりと固定されるようにしてもよい。
【００９２】
また、破断部の上下端部に生じる窪みを補正する方法については、布地の目の密度、柄、及び厚さ等や、破断部の大きさ、形状、及び破断部の形成された方向等の条件によって、様々な方法が考えられる。実施例において記述したように、窪み１０部において、縦方向と横方向に沿うように補正糸７’を挿入する方法の他に、図９に示すように、補正糸７’を斜め方向に挿入する方法もある。また、補正糸７’を縦方向、横方向、斜め方向の全てに挿入する方法もある。どのように、補正糸７’を挿入して窪みを補正するかは、上述したように、布地や破断部の様々な条件によって決定される。
【００９３】
なお、布地の種類や破断部の種類によっては、縫合糸として接着効果を有する縫合糸を使用する場合もある。
【００９４】
例えば、縫合糸の表面に接着剤をコーティングした縫合糸を使用したり、通常の縫合糸と接着剤で形成された糸とを２本どりとして縫合する場合もある。これらの場合には、縫合後にアイロンで過熱することによって、破断部を糸と接着剤によって強固に連結することができ、持続効果の高い補修を容易に行うことができる。特に、補強布が布地の風合いを損なう場合等、補強布を宛がうことが困難である場合に有効である。
【００９５】
【発明の効果】
請求項１に係る本発明によれば、布地に形成された破断部の端面間に布地の内部で糸を交互に掛け渡すことによって、破断部の端面同士を突き合わせた状態で破断部を縫合するようにしたので、付き合わせた端面を往復する糸を布地内部に収容することができ、補修のための縫い目が布地の表面に露出することを防止して美しい仕上がりとすることができる。
【００９６】
請求項２に係る本発明によれば、縫合する糸の始端部及び終端部を布地の内部に引っ張り込むことによって、糸の始端及び終端に形成された玉止めを布地の内部に収容するようにしたので、縫合の痕跡を残すことを防止して、補修後の仕上がりを美しくして見栄えを良くすることができるとともに、玉止めが解けたり、糸が磨耗することを防止して、補修効果を長く持続させることができる。
【００９７】
請求項３に係る本発明によれば、破断部近傍の布地の内部に複数条の糸を各条の糸の張力をそれぞれ調節しながら貫通させることによって、破断部近傍の布地を平坦化するようにしたので、補修の痕跡を残すことを防止して、補修後の見栄えを良くすることができる。
【００９８】
請求項４に係る本発明によれば、破断部の裏面に補強布を接着するようにしたので、破断部周辺の布地を補強することができるとともに、破断部に力が加わって破断部を縫合している縫合糸を切断してしまうことを防止するように補修を保護して補修効果を長く持続させることができる。
【図面の簡単な説明】
【図１】布地に形成された破断部の説明図である。
【図２】本発明に係る布地に形成された破断部を補修する工程を示す説明図である。
【図３】破断部の縫合における往路の説明図である。
【図４】破断部における縫合の説明図である。
【図５】終端玉止めの処理の工程を示す説明図である。
【図６】破断部の上端部に生じた窪みの補正方法の説明図である。
【図７】破断部周辺の布地に補強布を宛がった説明図である。（平面）
【図８】破断部周辺の布地に補強布を宛がった説明図である。（断面）
【図９】破断部の上端部に生じた窪みを補正する他の補正方法の説明図である。
【符号の説明】
１  布地
２  破断部
３  左端面
４  右端面
５  上端部
６  下端部
７  縫合糸
８  始端玉止め
９  終端玉止め
１０  窪み
１１  補強布
【図１】
2004218115.tif 000003
【図２】
2004218115.tif 000004
【図３】
2004218115.tif 000005
【図４】
2004218115.tif 000006
【図５】
2004218115.tif 000007
【図６】
2004218115.tif 000008
【図７】
2004218115.tif 000009
【図８】
2004218115.tif 000010
【図９】
2004218115.tif 000011